(57)【要約】      （修正有）【課題】  常に食器に十分な洗浄水を掛けて洗浄を行なうことができ、鍋などの大物食器の洗浄も行なえる洗浄ノズルを備えた食器洗浄機を得る。【解決手段】  洗浄槽１内に食器カゴ２が着脱自在に設けられ、食器カゴ２の下方には回転自在な下洗浄ノズル３が設けられ、食器カゴ２内の食器に洗浄水を噴き付けて洗浄を行なう食器洗浄機において、下洗浄ノズル３に送水口３ｂを設け、前記下洗浄ノズル３とは独立して回転し、側壁面の下部から上部の間に複数のノズル孔を開口した筒状でタワー状のタワーノズル７を備え、タワーノズル７を送水口３ｂに連結し、給水口３ａから洗浄水を供給して食器カゴ２内から食器カゴ２内の食器に洗浄水を噴き付けて洗浄を行なうので、タワーノズル７に食器が接触した場合でも下洗浄ノズル３は回転でき、下洗浄ノズル３に箸などが引っかかってもタワーノズル７は回転して側壁面の複数のノズル孔から洗浄水を噴射することができる。【選択図】図１（ｂ）
2005058655.tif 000002
【特許請求の範囲】
【請求項１】
洗浄槽内に食器カゴが着脱自在に設けられ、前記食器カゴの下方には給水部を中心に回転自在な下洗浄ノズルが設けられ、食器カゴ内の食器に洗浄水を噴き付けて洗浄を行なう食器洗浄機において、前記下洗浄ノズルに送水口を設け、前記下洗浄ノズルとは独立して回転し、側壁面の下部から上部の間に複数のノズル孔を開口した筒状でタワー状のタワーノズルを備え、前記タワーノズルを前記送水口に連結し、前記給水口から洗浄水を供給して前記食器カゴ内から食器カゴ内の食器に洗浄水を噴き付けることを特徴とする食器洗浄機。
【請求項２】
前記タワーノズルと下洗浄ノズルの回転速度もしくは回転数がそれぞれ異なるように回転させたことを特徴とする請求項１記載の食器洗浄機。
【請求項３】
前記タワーノズルもしくは下洗浄ノズルに、前記タワーノズルと下洗浄ノズルとを連結させるネジ構造の取り付け部材を設け、前記タワーノズルおよび下洗浄ノズルの回転方向を前記ネジ構造の取り付け部材の締め付け方向にすることを特徴とする請求項１記載の食器洗浄機。
【請求項４】
前記タワーノズルは、前記下洗浄ノズルから着脱可能としたことを特徴とする請求項１記載の食器洗浄機。
【請求項５】
前記タワーノズルを下洗浄ノズルから着脱可能とし、前記下洗浄ノズルからタワーノズルを取り外すことで、前記下洗浄ノズルの給水口が自動的に閉じるようにしたことを特徴とする請求項１記載の食器洗浄機。
【請求項６】
前記下洗浄ノズルの給水口に、前記下洗浄ノズルからタワーノズルを取り外すことで前記下洗浄ノズルの給水口を自動的に閉じるボール弁を設けたことを特徴とする請求項１または５いずれか記載の食器洗浄機。
【請求項７】
前記タワーノズルと下洗浄ノズルとの回転方向を、それぞれ異なる方向に回転させるようにしたことを特徴とする請求項１記載の食器洗浄機。
【請求項８】
前記タワーノズルを下洗浄ノズルから着脱可能とし、前記タワーノズルを下洗浄ノズルから取り外すことで、前記下洗浄ノズルが前記給水部から取り外せるようにしたことを特徴とする請求項１記載の食器洗浄機。
【請求項９】
前記下洗浄ノズルの送水口からタワーノズルを取り外し、前記タワーノズルとは食器に対する洗浄水の噴射方向もしくは噴射量の異なるノズルを前記送水口に取付可能としたことを特徴とする請求項１記載の食器洗浄機。
【発明の詳細な説明】
【技術分野】
【０００１】
この発明は、洗浄槽内に収納された食器類を洗浄する食器洗浄機に関する。
【背景技術】
【０００２】
従来、回転自在の補助噴射ノズルを先端に有するタワー状に伸縮するパイプからなるタワーノズルを洗浄槽の下面に配置されるメインの洗浄ノズルに設け、メインの洗浄ノズルの回転軸中心部からの送水により、タワーノズルの補助噴射ノズルが回転して、食器カゴ内の食器の上部から洗浄水をかけて、食器洗浄を行なっている（例えば、特許文献１参照）。
また、従来の食器洗浄機ではメインの洗浄ノズルからタワーノズルへの送水をボール弁を用いて制御している（例えば、特許文献２参照）
【０００３】
【特許文献１】実開平０２−０１２３５３号公報（第１−１２頁、第１−３図）
【特許文献２】特開平０８−０５６８８５号公報（第１−３頁、第２図）
【発明の開示】
【発明が解決しようとする課題】
【０００４】
従来の食器洗浄機では、メインの洗浄ノズルに固定あるいは食器カゴに固定されたタワーノズルにより、食器カゴ内の食器の上部から洗浄水を掛けて洗浄を行なっているが、食器カゴ内に突出するタワーノズル部分に食器を置くことができないため、鍋やドンブリなどの大物食器を食器カゴに収納して洗浄を行なうことができなかったという問題点があった。
さらに、食器カゴ内の食器がタワーノズルに接触した場合、タワーノズルが取り付けられているメインの洗浄ノズルの回転をも止めてしまうことになり、適正な洗浄が行なえなくなってしまうという問題点もあった。
【０００５】
この発明は、上述のような課題を解決するためになされたもので、その目的は、常に食器に十分な洗浄水を掛けて洗浄を行なうことができ、鍋などの大物食器の洗浄も行なえる洗浄ノズルを備えた食器洗浄機を得るものである。
【課題を解決するための手段】
【０００６】
この発明に係る食器洗浄機においては、洗浄槽内に食器カゴが着脱自在に設けられ、前記食器カゴの下方には給水部を中心に回転自在な下洗浄ノズルが設けられ、食器カゴ内の食器に洗浄水を噴き付けて洗浄を行なう食器洗浄機において、前記下洗浄ノズルに送水口を設け、前記下洗浄ノズルとは独立して回転し、側壁面の下部から上部の間に複数のノズル孔を開口した筒状でタワー状のタワーノズルを備え、前記タワーノズルを前記送水口に連結し、前記給水口から洗浄水を供給して前記食器カゴ内から食器カゴ内の食器に洗浄水を噴き付けるものである。
【発明の効果】
【０００７】
この発明は、独立回転できかつタワー状の側壁面に複数のノズル孔を開口したタワーノズルを備えたので、タワーノズルに食器が接触した場合でも下洗浄ノズルは回転でき、下洗浄ノズルに箸などが引っかかってもタワーノズルは回転して側壁面の複数のノズル孔から洗浄水を噴射することができるため、常に十分な洗浄を行なうことができる。
【発明を実施するための最良の形態】
【０００８】
実施の形態1．  
図1は、この発明を実施するための実施の形態１における食器洗浄機を示すもので、図１（ａ）は食器洗浄機の概略斜視図、図１（ｂ）は食器洗浄機の構成断面図ある。図において、洗浄槽１には、食器を載置する食器カゴ２が装着され、食器カゴの下部には回転自在に取り付けた下洗浄ノズル３が設けられている。食器カゴ２には１段目の食器群２ａと２段目の食器群２ｂが収納載置されている。洗浄槽１に洗浄水を給水するための循環水吸水管４が洗浄槽１に接続され、循環水吸水管４には、流れ込む洗浄水を洗浄槽１に搬送する吸引水圧を発生する洗浄ポンプ５の吸引側が接続され、洗浄ポンプ５の吐出側には送水管６が接続される。送水管６は、洗浄槽１の下面中央位置から内部へ配管され、洗浄槽１内部の下洗浄ノズル３の給水部３ａに接続される。下洗浄ノズル３の中心部には送水口３ｂが開口され、この送水口３ｂにタワーノズル７が着脱自在にかつ回転自在に接続される。
【０００９】
次に、タワーノズル７と下洗浄ノズル３について説明する。図２（ａ）と図２（ｂ）はタワーノズル７と下洗浄ノズル３との接続状態の断面図とその斜視図、図２（ｃ）と図２（ｄ）はタワーノズル７と下洗浄ノズル３の分解断面図とその斜視図である。図において、回転軸８は送水管６に接続される下洗浄ノズル３を回転自在に支持するとともに下洗浄ノズル３及びタワーノズル７への水の送水管を兼ねており、この回転軸８にネジ止めする形で下回転ノズル５が回転軸８から外れないように止めネジ付きの送水管軸９（特許請求の範囲の請求項３でいうネジ構造の取付機構）で支持する。タワーノズル７には、タワーノズル７の下部に突出して送水管軸９に回転自在に嵌合する突出軸１０を形成し、この突出軸１０は送水管軸９から送水を受けて、タワーノズル７の内部に水を送水するための穴１２ａを持っている。また、タワーノズル７には、突出軸１０が送水管軸９に回転自在に嵌合が外れないようにするためのフック１１が形成されており、フック１１は送水管軸９の上部外輪のふくらみに引っかかる。フック１１は柔軟性があり、手の力で変形できるので、突出軸１０の嵌合部は取り外し自在である。
【００１０】
タワーノズル７には、側壁面下部から上部の間にノズル孔１２が複数個設けられ、洗浄ポンプ５から送水される水は、最終的にはこのノズル孔１２から食器カゴ２内の食器８、９めがけて散水される。同様に、下洗浄ノズル３の状面にもノズル孔１３が複数設けられ、このノズル孔１３から上方にある食器２ａ、２ｂに洗浄水が噴射される。さらに、送水管軸１０の内部にタワーノズル７への水の送水を制御するためのボール弁１４が設けられている。
【００１１】
次に、動作について説明する。まず、洗い行程について説明する。図１の洗浄槽１内には、水道水（冷水或いは温水）の蛇口（図示せず）から取水して、水を上部から一定量給水される。そして、洗浄槽１内に洗剤を投入して、洗浄ポンプ５を稼働させると、洗浄槽１内の洗剤を含んだ水道水は、循環水給水管２を通り、洗浄ポンプ５に吸引され、送水管６を通り、回転軸８を介し送水口３ｂを通り、下洗浄ノズル３及びタワーノズル７の２ケ所に送水される。そして、ノズル孔１２、１３から洗剤を含んだ水が噴射されて食器カゴ２内の食器２ａ、２ｂに掛けられて、食器洗浄が行われる。この洗浄に使われた洗剤を含んだ水は、洗浄槽１の下面に落下し、再び循環水吸水管４から吸引され、循環する。この循環を一定時間繰り返し、食器上の汚れを洗浄する。汚れが食器上から落ちた後、図示していない排水口から洗浄槽１の外に洗浄槽１内の水を排水する。
【００１２】
次に、すすぎ行程について説明する。洗い行程と同様に、水道水を洗浄槽１に給水し、洗浄ポンプ５を稼働させて、洗い行程と同様の経路で洗浄水をノズル孔１２、１３から噴射して、食器のすすぎを行う。このような食器のすすぎを一定時間行った後、図示していない排水口から洗浄槽１の外に洗浄槽１内の水を排水を行う。このようなすすぎ行程を複数回行うことで、食器カゴ２内の食器上の汚れカスや洗剤残しを食器からすすぎ落とす。
【００１３】
このとき、ノズル孔１２、１５の位置は、下洗浄ノズル３及びタワーノズル７の回転軸中心から一定距離ずらした位置に配置されているため、下洗浄ノズル３及びタワーノズル７はノズル孔１２、１５からの噴射する水の慣性力が回転モーメントとなり、タワーノズル７と下洗浄ノズル３がそれぞれ独立して回転する。また、下洗浄ノズル３とタワーノズル７の回転の方向を、送水管軸９のネジ部の締め付け方向と同じ方向とし、送水管軸９のネジの緩みが発生しないようになっている。
【００１４】
このように、タワーノズル７のノズル孔１２は、１段目の食器群２ａと２段目の食器群２ｂの両方に洗浄水を掛けることができ、１段目の食器群２ａには下洗浄ノズル３からの水掛けの両方でかなりの水量を食器に掛けることができるので、短時間で強力な洗浄を行うことができる。さらに、下洗浄ノズル３とタワーノズル７はその回転速度または回転数がそれぞれ異なるように形成されており、回転速度または回転数がそれぞれ一致しないようにタワーノズル７の方の回転速度をが速くするようになっている。このようにそれぞれのノズル３、７の回転速度を異ならせ、各ノズルによる食器への洗浄水の噴射のタイミングをずらすことで、互いの洗浄水の噴射が干渉することを防いでいる。
【００１５】
また、箸やスプーン、フォークなどの食器が落下して下洗浄ノズル３の回転が停止したとしても、タワーノズル７の側壁面に複数のノズル孔１２が形成されているため、十分な洗浄ができる水量が噴射される。
また、タワーノズル７に食器カゴ２内の食器の一部が接触して、タワーノズル７の回転が停止したとしても、下洗浄ノズル３は独立して回転しているので下洗浄ノズル３が回転できるので、食器洗浄を行なえる水量の洗浄水を噴射させることができる。
【００１６】
そして、鍋１５やドンブリ（図示せず）などの大物食器を食器カゴ２に入れて洗浄を行なうときには、タワーノズル７を手で持ってタワーノズル７の上部方向へ引っ張ることで（図３参照）、フック１１が撓んで外れ、タワーノズル７を下洗浄ノズル３から取り外すことができるため、タワーノズル７が邪魔にならずに洗浄槽１内に収納できる（図４参照）。そして、タワーノズル７を取り外した状態で洗浄ポンプ５を稼働させると、タワーノズル７がはずされた送水管軸９はタワーノズル７への送水口３ｂが開放になるため、圧損が無くなる。よって、圧損が無くなった分だけタワーノズル７方向への圧力が増加するのでボール弁１４は水圧によりタワーノズル７方向へ押し上げられ、タワーノズル７方向の送水口３ｂを塞ぐ。したがって、タワーノズル７が外されても送水管軸９のタワーノズル７への送水口３ｂから水が多量に洩れることがなくなく、タワーノズル７へ送水されていた水は下洗浄ノズル３へ送られることになる。なお、タワーノズル７が下洗浄ノズル３に取り付けられた状態では、タワーノズル７の圧損によりタワーノズル７方向への水圧は低いものとなり、ボール弁１４のボールの自重が勝るため、ボール弁１４は下洗浄ノズル３の送水口３ｂを塞ぐことなく位置する。
【００１７】
このように、タワーノズル７が邪魔になって食器カゴ２内に載置収納できなかった鍋１５あるいはドンブル（図示せず）などの大物食器をタワーノズル７を外して食器カゴ２に載置収納可能として下洗浄ノズル３で洗浄を行なうことができる。
【００１８】
このように構成することで、タワーノズル７の側壁面に形成される複数のノズル孔１３により下洗浄ノズル３と同等の水噴射量と洗浄力を持つタワーノズル７で洗浄が行なえ、また、下洗浄ノズル３及びタワーノズル７を独立回転できるようにしたことで、食器がタワーノズル７または下洗浄ノズル３のどちらかのノズルに接触してどちらかのノズルの回転が止まることがあっても、どちらか一方のノズルが回転可能であるので洗浄が行なわれないということを防ぐことができる。
【００１９】
さらに、下洗浄ノズル３とタワーノズル７の回転速度（回転数）が異なる構成としたので、それぞれのノズル３、７から噴射される洗浄水同士が干渉することなく、食器に掛かる洗浄水の勢いが無くなるという不具合を防ぐことができる。
また、タワーノズル７を手動で下洗浄ノズル３から簡単に着脱可能に構成したので、タワーノズル７を下洗浄ノズル３から取り外して鍋１５などの大物食器を食器カゴ２に収納して洗浄を行なうことができる。
また、下洗浄ノズル３からタワーノズル７を取り外すことでボール弁１４が下洗浄ノズル３からタワーノズル７への流路の給水口３ｂを閉じるので、水漏れを起こすことなく、水漏れにより下洗浄ノズル３への水の供給が足りなくなることを防ぐ。
【００２０】
実施の形態２．
図５は、この発明を実施するための実施の形態２における食器洗浄機の洗浄ノズルの構成を示すもので、食器洗浄機本体部分は上記実施の形態１と同様である。図において、３、７、１０〜１３は上記実施の形態１と同一であり、その説明は省略する。送水管回転軸１６は、前記実施の形態１の回転軸８と送水管軸９を一体にした機能を持つもので、送水管回転軸１６により下洗浄ノズル３を前記実施の形態１の送水管６に回転自在に取付け、下洗浄ノズル３を着脱可能に取付支持し、さらに、タワーノズル７の突出軸１０のフック１１を送水管回転軸１６に着脱可能に嵌合させて、下洗浄ノズル３を送水管回転軸１６とタワーノズル７とで挟むようにタワーノズル７を送水管回転軸１６に、下洗浄ノズル３が送水管回転軸１６から外れないように着脱可能に取りつける。また、タワーノズル７を取り外したときには、止水弁１７をタワーノズル７と同様にして送水管回転軸１６に着脱可能に嵌合する。
【００２１】
このように構成された食器洗浄機の洗浄ノズルによる動作では、上記実施の形態１と同様の洗浄動作が行われる。このとき、送水管回転軸１６が下洗浄ノズル３をネジを使用しないで前記実施の形態１の給水管４に取り付けているので、下洗浄ノズル３とタワーノズル７の回転方向をそれぞれ異なる方向、つまり互いに反対ホ以降に回転させることができる。ただし、図４の鍋１５など大物食器を洗浄する場合は、タワーノズル７を外して代わりに止水弁１７を取り付ける。
【００２２】
このように構成することで、タワーノズル７を外すことで下洗浄ノズル３を簡単に外せるようになり、下洗浄ノズル３のメンテナンスが容易になる。また、タワーノズル７を取り外して、洗浄・すすぎ行程を行なうときには、高コストのボール弁を使わずに止水弁１７を取り付けることで下洗浄ノズル３からタワーノズル７への給水口を閉じるので水漏れを防ぐとともに、コストが安くなる。さらに、給水管４と下洗浄ノズル３との取付部にネジを使用しないため、下洗浄ノズル３とタワーノズル７の回転方向をそれぞれ反対方向にすることができ、互いのノズル３、７から噴射する洗浄水同士が干渉することがなく、食器に掛かる洗浄水の勢いが無くなることを防ぐことができる。
【００２３】
実施の形態３．
上記実施の形態１および実施の形態２では、タワーノズル７と下洗浄ノズル３とがそれぞれ独立回転し、かつタワーノズル７を取り外すことができるものとしたが、本実施の形態３では、タワーノズル７が取り外せることを利用し、タワーノズル７の代わりに食器の汚れ具合に合わせた洗浄水の噴射方向や噴射量のノズルを取り付けて、洗浄・すすぎ行程を行なうものである。
【００２４】
図６は、この発明の実施の形態３における食器洗浄機の洗浄ノズルを示すものである。図において、３、７、９〜１３、１６、１７は上記実施の形態１および２と同一であり、その説明は省略する。汚れの酷い食器を洗う場合、タワーノズル７を下洗浄ノズル３から取り外して、送水管軸９あるいは送水管回転軸１６（図６では送水管回転軸１６）に取付嵌合する上洗浄ノズル１８で、ノズル孔１８ａが下向きに開口するようにけいせいされたもので、上から下にある食器に向かって多量の洗浄水を噴射する。食器カゴ２に載置収納される食器２ａ、２ｂの裏面の汚れを洗浄する場合に適したノズルである。上洗浄ノズル１８の下洗浄ノズル３への取付部は、突出軸１０とフック１１を形成し、下洗浄ノズル３に回転自在に支持される。
【００２５】
このように、タワーノズル７の代わりに、上述のようなタワーノズル７とは洗浄水の噴射方向が異なる上洗浄ノズル１８を取り付けることで、上から下に向かう水流で食器の裏面の汚れを上から下に流し落すことができ、下洗浄ノズル３からの洗浄水の噴射と合わせて使用することで、食器の裏面、表面ともに短時間で強力に洗浄できる。
【００２６】
さらに、図７は、表面のみに汚れが付着した食器を洗う場合に適した下洗浄ダブルノズル１９の断面図であり、下洗浄ノズル３と同様に、ノズル孔１９ａを上向きに開口するようにしたノズルで、送水管軸９あるいは送水管回転軸１６（図７では送水軸９）に取付嵌合する。
【００２７】
このように、タワーノズル７の代わりにタワーノズル７とは洗浄水の噴射方向の異なる下洗浄ダブルノズル１９を取り付けることで、下から上方にある食器に噴射される洗浄水の量が増え、特に食器の表面の洗浄が短時間で強力に洗浄することができる。
【００２８】
また、上述した上洗浄ノズル１８や下洗浄ダブルノズル１９のほかに、送水口３ｂに着脱可能とするノズルとして、ノズル孔の数を増減したりノズル孔の開口面積を大きくしたりして洗浄水の噴射量の異なるノズルを下洗浄ノズル３の送水口３ｂに取り付けても良く、食器の汚れの度合いに合わせて洗浄水の噴射力の強弱や方向の異なるノズルを付けるようにしても良い。
【図面の簡単な説明】
【００２９】
【図１（ａ）】この発明の実施の形態１を示す食器洗浄機の概略斜視図である。
【図１（ｂ）】この発明の実施の形態１を示す食器洗浄機の構成断面図である。
【図２（ａ）】この発明の実施の形態１を示す食器洗浄機のタワーノズルと下洗浄ノズルの接続状態の断面図である。
【図２（ｂ）】この発明の実施の形態１を示す食器洗浄機のタワーノズルと下洗浄ノズルの接続状態の斜視図である。
【図２（ｃ）】この発明の実施の形態１を示す食器洗浄機のタワーノズルと下洗浄ノズルの分解断面図である。
【図２（ｄ）】この発明の実施の形態１を示す食器洗浄機のタワーノズルと下洗浄ノズルの分解斜視図である。
【図３】この発明の実施の形態１を示す食器洗浄機の下洗浄ノズルからタワーノズルを取り外す動作の断面図である。
【図４（ａ）】この発明の実施の形態１を示す食器洗浄機のタワーノズル取り外し時の斜視図である。
【図４（ｂ）】この発明の実施の形態１を示す食器洗浄機の大物食器投入時の構成斜視図である。
【図５（ａ）】この発明の実施の形態２を示す食器洗浄機のタワーノズルと洗浄ノズルの断面図である。
【図５（ｂ）】この発明の実施の形態２を示す食器洗浄機のタワーノズルと洗浄ノズルの分解断面図である。
【図６】この発明の実施の形態３を示す食器洗浄機の下洗浄ノズルと上洗浄ノズルの断面図である。
【図７】この発明の実施の形態３を示す食器洗浄機の下洗浄ノズルと下洗浄ダブルノズルの断面図である。
【符号の説明】
【００３０】
１  洗浄槽、２  食器カゴ、３  下洗浄ノズル、３ａ  給水部、３ｂ  送水口、４  循環水吸水管、５  洗浄ポンプ、６  送水管、７  タワーノズル、８  回転軸、９  送水管軸、１０  突出軸、１０ａ  穴、１１  フック、１２  ノズル孔、１３  ノズル孔、１４  ボール弁、１５  鍋、１６  送水管回転軸、１７  止水弁、１８  上洗浄ノズル、１８ａ  ノズル孔、１９  下洗浄ダブルノズル、１９ａ  ノズル孔。
【図１（ａ）】
2005058655.tif 000003
【図１（ｂ）】
2005058655.tif 000004
【図２（ａ）】
2005058655.tif 000005
【図２（ｂ）】
2005058655.tif 000006
【図２（ｃ）】
2005058655.tif 000007
【図２（ｄ）】
2005058655.tif 000008
【図３】
2005058655.tif 000009
【図４（ａ）】
2005058655.tif 000010
【図４（ｂ）】
2005058655.tif 000011
【図５（ａ）】
2005058655.tif 000012
【図５（ｂ）】
2005058655.tif 000013
【図６】
2005058655.tif 000014
【図７】
2005058655.tif 000015